(57)【要約】      （修正有）【課題】膝、腰の不自由な人のための衣類の脱着を容易に行う衣類脱着用補助具を提供する。【解決手段】基端部に操作部４を備えた所定長さの棒状の柄１の先端に、足先を挿脱する衣類Ｗ１、Ｗ２の筒状の開口部Ｗａ、Ｗｂの周壁を係脱する把持部２を備え、柄１を軸方向に動かすことにより足先に対する衣類Ｗ１、Ｗ２の脱着を行う衣類脱着用の補助具であって、把持部２に操作部４によってクリップ状に開閉操作され、先端を衣類の筒状の開口部Ｗａ、Ｗｂの内周側に挿入して係脱可能に把持する可動側の把持爪６、７又は固定側の把持爪２３を備えている。把持部２は柄１の先端に固定的に取付けられる枠状の又はケーシングを兼ねた本体部９と、該本体部９内に基端部を回動開閉可能に軸支した把持爪６、７と、操作部４の操作に連動して把持爪６、７を開閉させる連携部材と、把持爪６、７の開閉動作を一方向に付勢する復帰スプリングとを備えている。【選択図】図１
0003221932.tif 000002
【実用新案登録請求の範囲】
【請求項１】
基端部に操作部（４）を備えた所定長さの棒状の柄（１）の先端に、足先を挿脱する衣類（Ｗ１），（Ｗ２）の筒状の開口部（Ｗａ），（Ｗｂ）の周壁を係脱する把持部（２）を備え、上記柄（１）を軸方向に動かすことにより足先に対する衣類（Ｗ１），（Ｗ２）の脱着を行う衣類脱着用の補助具であって、上記把持部（２）に操作部（４）によってクリップ状に開閉操作され、先端を衣類の筒状の開口部（Ｗａ），（Ｗｂ）の内周側に挿入して係脱可能に把持する可動側の把持爪（６）又は固定側の把持爪（２３）を備えてなる衣類脱着用補助具。
【請求項２】
把持部（２）が柄（１）の先端に固定的に取付けられる枠状の又はケーシングを兼ねた本体部（９）と、該本体部（９）内に基端部を回動開閉可能に軸支した可動側の把持爪（６），（７）と、操作部（４）の操作に連動して把持爪（６），（７）を開閉させる連携部材（８）と、把持爪（６），（７）の開閉動作を少なくとも一方向に付勢する復帰スプリング（１７），（２４）とを備えてなる請求項１に記載の衣類脱着用補助具。
【請求項３】
柄（１）が中空のパイプ材よりなり、連携部材（８）を該パイプ材の内部に収容されて設置した請求項１又は２に記載の衣類脱着用補助具。
【請求項４】
連携部材（８）が柄（１）の内部で往復動させられるロッドからなり、該ロッドの先端側で復帰スプリング（１７），（２４）に抗して可動側の把持爪（６），（７）を弾力的に回動開閉させる機構とした請求項２又は３に記載の衣類脱着用補助具。
【請求項５】
本体部（９）より突出した把持爪（６），（２３）が、先端を衣類（Ｗ１），（Ｗ２）の筒状の開口部（Ｗａ），（Ｗｂ）の周端縁内に挿入した状態で、把持部（２）の閉じ操作により可動側の把持爪（６），（７）を受け止める受け部との間で上記周端縁を挟み込んで係脱可能に把持する機構とした請求項１〜４のいずれかに記載の衣類脱着用補助具。
【請求項６】
可動側の把持爪（６）が開閉操作によって本体部（９）より上向きに突出し、先端をズボンタイプの衣類（Ｗ１）の裾側から挿入し該衣類（Ｗ１）の裾端を把持する機構とした請求項２〜５のいずれかに記載の衣類脱着用補助具。
【請求項７】
可動側の把持爪（６）の受け部（１９）を本体部（９）の外表面に設けた請求項６に記載の衣類脱着用補助具。
【請求項８】
可動側の把持爪（７）を本体部（９）より下向きに突出させ、先端をソックスからなる衣類（Ｗ２）の開口部（Ｗｂ）の上端周縁側から挿入して該衣類（Ｗ２）の開口部（Ｗｂ）を把持する機構とした請求項２〜５のいずれかに記載の衣類脱着用補助具。
【請求項９】
受け部として可動側の把持爪（７）の閉じ方向側の本体部（９）側に上記把持爪（７）と相対する固定側の把持爪（２３）を固定的に設けた請求項８に記載の衣類脱着用補助具。
【請求項１０】
上向きに突出する可動側の把持爪（６）と受け部の閉じ状態の当接面を互に適合し合う凹凸面に形成した請求項６〜８のいずれかに記載の衣類脱着用補助具。
【請求項１１】
上向きに突出する可動側の把持爪（６）と受け部の閉じ状態の当接面間に、ズボンタイプの衣類（Ｗ１）の筒状の開口部（Ｗａ）の周端縁に弾力的に押接されるラバー（１９）を設けて受け部としてなる請求項６〜１０のいずれかに記載の衣類脱着用補助具。
【請求項１２】
本体部（９）の上部外周側に開操作時に上向きに突出する可動側の把持爪（６）を設け、本体部（９）の下部側に開操作時に下向きに突出する可動側及び固定側の把持爪（７），（２３）を設け、ズボンタイプ及びソックスのいずれかの衣類（Ｗ１），（Ｗ２）にも兼用できる機構とした請求項６〜１１のいずれかに記載の衣類脱着用補助具。
【請求項１３】
本体部（９）の先端に下向きに突出する一対の把持爪（７），（２３）を設け、該一対の把持爪（７），（２３）を覆う保護カバーを上記本体部（９）に着脱可能に取付けてなる請求項１２に記載の衣類脱着用補助具。
【請求項１４】
基端部側に直線状の軸部（２８ａ）を設け、該軸部（２８ａ）の先端側にアーム部（２８ｂ）を介して開口爪（２８ｃ）を設けた一対の開口杆（２８）の上記軸部（２８ａ）を把持部（２）側の前後両側に回動可能に且つアーム部（２８ｂ）の開閉角度を調節可能に軸支して設け、ソックスである衣類（Ｗ２）の開口部（Ｗｂ）を把持した状態で、上記開口爪（２８ｃ）を開くことにより開口部（Ｗｂ）を開口させて保持する機構とした請求項１２又は１３のいずれかに記載の衣類脱着用補助具。
【考案の詳細な説明】
【技術分野】
【０００１】
この考案は主として下半身の屈伸や腰の屈曲等に障害がある障害者向けの衣類脱着用補助具に関する。
【背景技術】
【０００２】
一般に膝や腰の屈伸が不自由な障害者にとって、足先を挿通するパンツ、ズボン、ソックスを自分で脱着する作業が困難な人が多く、従来そのための補助具として特許文献１，２に示すものが提案されている。
【先行技術文献】
【特許文献】
【０００３】
【特許文献１】特開２０００−３５４５３４号公報
【特許文献２】特開２０１４−６１１４１号公報
【考案の概要】
【考案が解決しようとする課題】
【０００４】
上記特許文献１の補助具は手元側に操作レバーを設けた棒状の柄の先端にズボンの裾を外周から挟んで把持するクリップを設け、このクリップを開閉操作してズボンを柄の方向に動かして脱衣操作するものである。
【０００５】
しかしこの補助具はズボンの裾の外周からクリップでひだを形成して挟み込むために、把持力も弱く脱衣操作もスムースに行い難いほか、例えばジャージやタイツのように裾が足首やスネ部分に弾力的に密着する伸縮タイプのものでは裾を掴むことができず、衣類の脱着の補助ができない欠点がある。
【０００６】
また特許文献２に示すものは、２重のリング間にソックスの開口部（ウェルト部）を開口状態で挟み込んで、柄の先端側で足先を挿入する着脱用補助具であるが、予めリング間に挟み込む必要がある他、着用したソックスを脱衣するためには足先での挟み込み作業が必要なため、脱衣時には使用できない欠点がある。
【課題を解決するための手段】
【０００７】
上記課題を解決するための本考案の補助具は、第１に基端部に操作部４を備えた所定長さの棒状の柄１の先端に、足先を挿脱する衣類Ｗ１，Ｗ２の筒状の開口部Ｗａ，Ｗｂの周壁を係脱する把持部２を備え、上記柄１を軸方向に動かすことにより足先に対する衣類Ｗ１，Ｗ２の脱着を行う衣類脱着用の補助具であって、上記把持部２に操作部４によってクリップ状に開閉操作され、先端を衣類の筒状の開口部Ｗａ，Ｗｂの内周側に挿入して係脱可能に把持する可動側の把持爪６又は固定側の把持爪２３を備えてなることを特徴としている。
【０００８】
第２に、把持部２が柄１の先端に固定的に取付けられる枠状の又はケーシングを兼ねた本体部９と、該本体部９内に基端部を回動開閉可能に軸支した可動側の把持爪６，７と、操作部４の操作に連動して把持爪６，７を開閉させる連携部材８と、把持爪６，７の開閉動作を少なくとも一方向に付勢する復帰スプリング１７，２４とを備えてなることを特徴としている。
【０００９】
第３に、柄１が中空のパイプ材よりなり、連携部材８を該パイプ材の内部に収容されて設置したことを特徴としている。
【００１０】
第４に、連携部材８が柄１の内部で往復動させられるロッドからなり、該ロッドの先端側で復帰スプリング１７，２４に抗して可動側の把持爪６，７を弾力的に回動開閉させる機構としたことを特徴としている。
【００１１】
第５に、本体部９より突出した把持爪６，２３が、先端を衣類Ｗ１，Ｗ２の筒状の開口部Ｗａ，Ｗｂの周端縁内に挿入した状態で、把持部２の閉じ操作により可動側の把持爪６，７を受け止める受け部との間で上記周端縁を挟み込んで係脱可能に把持する機構としたことを特徴としている。
【００１２】
第６に、可動側の把持爪６が開閉操作によって本体部９より上向きに突出し、先端をズボンタイプの衣類Ｗ１の裾側から挿入し該衣類Ｗ１の裾端を把持する機構としたことを特徴としている。
【００１３】
第７に、可動側の把持爪６の受け部１９を本体部９の外表面に設けたことを特徴としている。
【００１４】
第８に、可動側の把持爪７を本体部９より下向きに突出させ、先端をソックスからなる衣類Ｗ２の開口部Ｗｂの上端周縁側から挿入して該衣類Ｗ２の開口部Ｗｂを把持する機構としたことを特徴としている。
【００１５】
第９に、受け部として可動側の把持爪７の閉じ方向側の本体部９側に上記把持爪７と相対する固定側の把持爪２３を固定的に設けたことを特徴としている。
【００１６】
第１０に、上向きに突出する可動側の把持爪６と受け部の閉じ状態の当接面を互に適合し合う凹凸面に形成したことを特徴としている。
【００１７】
第１１に、上向きに突出する可動側の把持爪６と受け部の閉じ状態の当接面間に、ズボンタイプの衣類Ｗ１の筒状の開口部Ｗａの周端縁に弾力的に押接されるラバー１９を設けて受け部としてなることを特徴としている。
【００１８】
第１２に、本体部９の上部外周側に開操作時に上向きに突出する可動側の把持爪６を設け、本体部９の下部側に開操作時に下向きに突出する可動側及び固定側の把持爪７，２３を設け、ズボンタイプ及びソックスのいずれかの衣類Ｗ１，Ｗ２にも兼用できる機構としたことを特徴としている。
【００１９】
第１３に、本体部９の先端に下向きに突出する一対の把持爪７，２３を設け、該一対の把持爪７，２３を覆う保護カバーを上記本体部９に着脱可能に取付けてなることを特徴としている。
【００２０】
第１４に、基端部側に直線状の軸部２８ａを設け、該軸部２８ａの先端側にアーム部２８ｂを介して開口爪２８ｃを設けた一対の開口杆２８の上記軸部２８ａを把持部２側の前後両側に回動可能に且つアーム部２８ｂの開閉角度を調節可能に軸支して設け、ソックスである衣類Ｗ２の開口部Ｗｂを把持した状態で、上記開口爪２８ｃを開くことにより開口部Ｗｂを開口させて保持する機構としたことを特徴としている。
【考案の効果】
【００２１】
以上のように構成される本考案の補助具は、以下のような効果を奏する。
（１）把持爪を衣類の裾端等の筒状の開口部に挿入して把持するので、把持力も強く衣類の脱着も容易になり、膝や腰の屈伸が不自由な利用者でも着用状態のズボンやソックスの脱衣やソックスの着用作業も簡単に行うことができる。
【００２２】
（２）脱着操作は柄の手元の操作部の操作により把持部の操作ができ、把持部内の復帰スプリングより把持爪が弾力的に開閉できるほか、把持爪と受け部により、確実に衣類の開口部を挟み込んで把持でき、受け部と把持爪の間にラバーや噛み合いの凹凸を介設することにより、把持も確実になり、生地の損傷も防止できる。
【００２３】
（３）把持爪を上向きに突出させることにより、ズボンの脱衣ができ、下向きに突出させることによりソックスの脱着も着用状態においても操作が可能である。
また本体部に上向き、下向きの把持爪両方を設けることにより、ズボンとソックス両方に使用できる。また本体部の先端に保護カバーを設けることにより、ズボン用として使用する際の上向き把持爪の高さ合わせも容易になる。
【００２４】
（４）把持部に設けた先端の把持爪により、ソックス着用時に開口部の開口状態を保持できるので、ソックスの着用がより簡単にできる利点がある。
【図面の簡単な説明】
【００２５】
【図１】（Ａ）は本考案の補助具によるズボンの脱衣とソックスの脱着時の使用状態を示す全体正面図、（Ｂ）はソックスの着用中の使用状態を示す要部正面図である。
【図２】本考案の補助具の把持部の機構と作動状態を示す拡大正面図である。
【図３】把持部の左側面図である。
【図４】把持部の右側面図である。
【図５】補助具を用いてソックスを着用する際の開口部の把持と開口の使用状態を示す平面図である。
【考案を実施するための形態】
【００２６】
図１〜図５はこの考案の１実施形態を示し、図１に示すように補助具は角パイプ等からなる棒状の柄１の先端に把持部２を、基端部（手元側）にグリップ３と把持部操作用の操作部４をそれぞれ備えている。柄１内には操作部４の上下復動操作で把持部４の後述する把持爪６，７を開閉操作する連携部材としてのロッド８（図２参照）が往復動可能に収容されている。
【００２７】
この例では操作部４は、ロッド８と連結されてロッド８を上下動させるスライダーからなっており、スライダーは柄１の表面に沿って上下方向にスライド可能に取付けられている。
【００２８】
把持部２はボックス状に組立てられた例えば硬質プラスチック製のカバーケースからなる本体部９の上部に設けられた上下方向のボス部１１に柄１の先端が差込み固定されており、本体部９の内部と下端側に後述する衣類の掴み作動（把持爪６，７の開閉）をさせる駆動機構が装備されている。またカバーケース状の本体部９は正面視で異形の多角形状の周壁１２と、平板状の前後壁１３、及び下部開口端に嵌合固定される下端ベース１４とを組付けて構成されている。
【００２９】
ロッド８は本体部９内を貫通し、その先端は下端ベース１４を貫通して下部に突出しており、本体部９内の右下方には正面視逆「く」字形に屈曲し、その先端が本体部９より上向きに突出した把持爪６下端が回動開閉可能に支点軸１０により軸支されている。該把持爪６の下端側左方には、正面視四角形の枠状に形成された連動部材１６が、把持爪６と一体的に固定され且つ一体回動するように設けられている。ロッド８はこの連動部材１６及び本体部９自体を上下に貫通し、その先端が下端ベース１４を貫きその下側に突出している。
【００３０】
上記本体部９内の下端ベース１４の上面と連動部材１６の底面との間のロッド８には、連動部材１６を上方に押し上げる方向に且つ把持爪６を時計方向に回動させて本体部９の右側方に上向きに突出させるように不勢する復帰スプリング１７が外装されている。
【００３１】
さらに連動部材１６の上方には連動部材１６の上面に転接するローラー１８がロッド８の両側にそれぞれ軸支されており、上記復帰スプリング１７による連動部材１６の回動に伴いロッド８が弾力的に上方に押し上げられ、本体部９内に突出している柄１の下端（ボス状のストッパー）に当接することによって上昇停止する。
【００３２】
上記機構により把持爪６は、操作部４の非操作時（解放時）には、図２の仮想線で示すように時計回り方向に開いた状態（待機姿勢）で本体部９の左側面より突出し、操作部４を下向きに押し下げ操作するとロッド８のローラ１８が連動部材１６の上面に当接し、復帰スプリング１７に抗して把持爪６とともに反時計方向に回動させる。
【００３３】
この時把持爪１６は本体部９の右側面側に当接し、本体部９の表面の受け部１９により受け止められ、受け部１９との間に衣類の裾等を挟み込んで脱衣操作可能な状態（把持姿勢）になる。
【００３４】
他方、本体部９の下端面側には下向きに突出した一対のブラケット２１を介して正面視概ね三角形のブロック状の可動側の把持爪７が下向きに且つ支点軸２２を介して回動可能に軸支されており、これに対向し、下端ベース１４と一体の受け部を兼ねた固定側の把持爪２３が下向きに突出して設けられている。
【００３５】
固定側の把持爪２３と可動側の把持爪７との対向面間には、把持爪７を時計方向回りに付勢する復帰スプリング２４が介挿されており、フリー状態では把持爪７は図２の仮想線で示すように復帰スプリング２４により時計方向回りに限度位置まで回動した姿勢（待機姿勢）になっている。
【００３６】
これに対し、ロッド８が下方に押し出し操作された状態では、把持爪７の上面に形成されたＶ字形の溝状凹部２６に対して円錐形に加工されたロッド８の先端が押し当てられ、把持爪７は図２の実線で示すように固定側の把持爪（受け部）２３の受け面に沿って当接する姿勢（把持姿勢）になるまで反時計方向に回動して停止する。
【００３７】
この時固定側の把持爪２３と可動側の把持爪７との間に衣類（ソックス）の円筒形の開口部周縁が挟み込まれた状態で把持され、本体部９を上下方向に動かして脱着操作することができる。この把持の外れ防止とソックスの開口部生地の痛み防止のため、把持爪７,２３の噛み合せ面には弾力性を備えたラバー部材（図示しない）が設けられている。
【００３８】
また前記把持部２の左側面側には、丸棒状の素材を正面視Ｌ字形に屈曲形成された前後一対の開口杆２８の上方基端部の軸部２８ａが、本体部９の上部内に斜め左に下向きの軸心Ｏを中心に回動可能に軸支されている。軸部２８ａの下端には略直角に屈曲したアーム部２８ｂを介し、さらにその下端にはＴ字状に形成された開口爪２８ｃが形成され、上記開口爪２８ｃは把持爪７の前後両側まで近接して臨んでいる。
【００３９】
上記軸部２８ａは、本体部９の左傾斜したケース上面内で、上下の２個の軸受部１５ａ，１５ｂによって回動可能にそれぞれ軸支され、この軸部２８ａはアーム部２８ｂを一定以上のトルクで負荷を掛けて回動させることが可能な程度の摩擦抵抗下に軸支されており、図３で示すように一定限度内の任意の角度で停止状態を保つことができる機構となっている。
【００４０】
上記軸部２８ａを軸支する軸受部１５ａの上側と軸受部１５ｂの下側には、それぞれ当該部分の軸部２８ａが外部に露出されるように、ケースの前後壁１３に凹部２０ａ，２０ｂが形成され、軸部２８ａの先端（上端）側には、上方の凹部２０ａ内において、Ｃリング２５を嵌着させて軸部２８ａの抜け止めが施されている。
【００４１】
さらに下部側の凹部２０ｂにおいては、ここに露出する軸部２８ａにストッパー爪３０ａ付のカラーリング３０が嵌合してビス止め等により位置決め固定されている。そして上記ストッパー爪３０ａが、アーム部２８ｂが図１，図２の折畳み状態から前後両側に外回動して限度位置まで開いた状態で、上記凹部２０ｂの内側壁面２０ｃ（図２，図３参照）に当接することによって最大回動角（開き角）が規制される。
【００４２】
上記本体部９の下端には図２〜図４に示されるように弾力性のあるプラスチック部材からなる上部開放形で箱状の保護カバー３１が着脱可能に嵌合して取付けられ、この保護カバー３１によって把持部２の下端構造となる把持爪７，２３が保護されるとともに、後で述べる把持爪６によるズボン等の下端開口部を把持する際に、この保護カバー３１を床面に当接させることによって把持爪６の作業前の高さの位置決め部材にもなる。
【００４３】
本実施形態では、上向きの把持爪６の先端内側には逆Ｖ字形の山形断面の弾力性のある発泡プラスチック材等からなるラバー３２が貼着されており、これに対応して本体部９の周壁表面の受け部１９も、上記ラバー３２と密着してフィットするＶ字形の谷形断面をしたラバーで構成されている。この構成によりここに挟み込まれる衣類の生地は断面がラバー同士の噛み合い形状に沿って広い面積で弾力的に挟持され、強い把持力を発揮する。上記ラバー同士の受け面は上記以外の凹凸形状であっても良い。
【００４４】
上記のように構成される補助具を利用して膝や腰に障害のある利用者が衣類の脱着を行う場合の手順につき、以下図１，図２に基いて概要を説明する。図１（Ａ）に示す伸縮スリーブ付の裾に開口部Ｗａを備えたズボンタイプの衣類Ｗ１を脱衣する場合は、先ずスライダー４を上昇スライド（解放）して上向きに開いた把持爪６を、上記開口部Ｗａと着用者の足首Ｆ１と開口部Ｗａの間に下側に差込む。次いでスライダー４を復帰スプリング１７に抗して下向きにスライド操作することにより、上記裾の開口部Ｗａの周壁の生地を受け部１９と把持爪６（ラバー３２）との間に挟み込んで把持した後、柄１を足首Ｆ１に沿って足先方向に押出すことにより脱衣が行われ、開口部Ｗａから利用者の足先が抜けた後は柄１の操作により容易に脱衣できる。
【００４５】
ズボンタイプの衣類の裾が伸縮スリーブがないストレートタイプのものでは、把持爪６の裾内への挿入がさらに容易になる。上記初期の動作は、下向きの把持爪７が開状態でも保護キャップ３１に納まっているため、保護キャップ３１を被せたままでの上記脱衣操作を妨げないだけでなく、下側の把持爪７の保護にもなる。
【００４６】
次いで図１（Ａ）に示すソックスからなる衣類Ｗ２が伸縮スリーブ付の開口部Ｗｂを備えている場合の脱衣について述べると、この場合は保護キャップ３１を取外し、上記の例と同様にスライダー４が手元側に上昇スライドし、復帰スプリング２４により下向きの可動側の把持爪７が開作動した状態で、固定側の把持爪２３を柄１の押し操作によりソックスである衣類Ｗ２の開口部Ｗｂの周壁に挿入し、次いでスライダー４を先端方向に下降スライドさせて復帰スプリング２４に抗して可動側の把持爪７を閉じることによって開口部Ｗｂを確実に把持させる。この時開口杆２８は図３に示すように予め開いた状態にしておき把持爪７，２３のみで開口部Ｗｂを把持させる。また開口杆２８のアーム部２８ｂを閉じた状態でソックスＷ２の脱衣を行うことも可能である。
【００４７】
上記把持後は柄１を足先方向に押し操作することにより、ソックス（衣類Ｗ２）を足先より抜取り脱衣する。
逆にソックスＷ２を着用する時は、図１（Ｂ）に示すように、可動側の把持爪７を開いた状態からソックスＷ２の開口部Ｗｂの正面側周壁を、固定側把持爪２３と可動把持爪７の間に挿入して可動側把持爪７を閉じることによって把持する。次いで開口部Ｗｂ内に挿入された開口杆２８の先端の開口爪２８ｃを各軸部２８ａを中心に回動させて、前後両側に開き、図１（Ｂ）及び図５に示すようにソックスＷ２の開口部Ｗｂを大きく開口させておく。
【００４８】
その結果、ソックスＷ２の開口部Ｗｂは図５に示すように把持爪７，２３と前後の開口爪２８ｃによって平面視で概ね三角形状に開口され、この状態で図１（Ｂ）に示すように把持部２と足先Ｆ２に位置させ、同図に示すように足先Ｆ２を開口されたソックス開口部Ｗｂ内に挿入し、挿入後は開口部Ｗｂ周壁を把持爪７，２３で把持し、順次ソックスＷｂを引上げることにより着用を完了する。
【００４９】
上記のように可動側の把持爪６，７は、本体部９の表面又は固定側の把持爪２３に対してクリップ状に開閉し、各爪は先端が鋭角で一定幅があるので開口部Ｗａ，Ｗｂに挿入し易く且つ把持も確実で安定している。またクリップ状に開閉するので、操作機構及び操作自体も簡単である。また操作部４はスライダー以外に回動式のレバーでもよく、連携部材８もロッドである必要はなく、ワイヤ等にすることもできる。
【符号の説明】
【００５０】
１    柄
２    把持部
４    操作部（スライダー）
６，７    把持爪
８    連携部材
９    本体部
１７    復帰スプリング
１９    受け部
２３    受け部（把持爪）
２８    開口杆
２８ａ  軸部
２８ｂ  アーム部
２８ｃ  開口爪
２４    復帰スプリング
３１    保護カバー
【図１】
0003221932.tif 000003
【図２】
0003221932.tif 000004
【図３】
0003221932.tif 000005
【図４】
0003221932.tif 000006
【図５】
0003221932.tif 000007